(57)【要約】【課題】グリップ力と安定性を向上させる釣り靴を提供する。【解決手段】底部の前基部及び後基部に一体成形された複数のリボン状で一箇所から二つの異なる方向へと延在する開放状の三角形のフック型の凸体１１が設けられた釣り靴本体１０と、凸体１１に対向する箇所に凸体１１よりも大きい長穴２１が設けられ、凸体１１と長穴２１との間に間隙を有するように接着し嵌め込まれる摩擦に耐える靴底２０と、ネイルヘッド、ネイルヘッドに近い頭部に形成されたねじ山部、及び非円形の翼型端部３４として形成された尾端部を有する複数の滑り止め釘本体３０とを備える。釣り靴本体１０と靴底２０とが嵌め込まれる前に、滑り止め釘本体３０は靴底２０に螺設され、翼型端部３４は靴底２０の地面側より突出し、ねじ山部は靴底の足裏側と螺合する。ねじ山と靴底２０の材質が噛みあうことにより、滑り止め釘本体３０が陥没することを避けることができる。【選択図】図１
0003210758.tif 000002
【実用新案登録請求の範囲】
【請求項１】
底部の前基部及び後基部に一体成形された複数のリボン状で一箇所から二つの異なる方向へと延在する開放状の三角形のフック型の凸体が設けられた釣り靴本体と、
前記凸体に対向する箇所に前記凸体よりも大きい長穴が設けられ、前記凸体と前記長穴との間に間隙を有するように接着し嵌め込まれる耐摩耗性材から形成される靴底と、
ネイルヘッド、前記ネイルヘッドに近い頭部に形成されたねじ山部、及び非円形の翼型端部として形成された尾端部を有する複数の滑り止め釘本体と、
を備え、
前記釣り靴本体と前記靴底とが嵌め込まれる前に、前記滑り止め釘本体は前記靴底に螺設され、前記翼型端部は前記靴底の地面側より突出し、前記ねじ山部は前記靴底の足裏側と螺合する、
ことを特徴とする釣り靴。
【請求項２】
前記翼型端部は、少なくとも１つの切削刃を有する、請求項１に記載の釣り靴。
【請求項３】
前記靴底は、前記前基部と前記後基部との境界に横方向のスリットが形成されている、請求項１に記載の釣り靴。
【考案の詳細な説明】
【技術分野】
【０００１】
本考案は、釣り靴に関する。
【背景技術】
【０００２】
渓谷の石または海辺の消波ブロックは、長期的に水に浸かっているため苔または藻類が生えやすい。通常渓流釣りまたは磯釣りなどの活動に従事するとき、石またはブロックを踏みつけると、滑りやすく重心が不安定となり、転倒するなど安全上の懸念がある。したがって滑って転倒する確率を減らすことができる専門の釣り靴を着用する必要がある。このような釣り靴の滑り止めの靴底の設計においては、直接靴本体の底部に摩擦抵抗が比較的大きい材質で形成された靴底を接着することにより、踏みつけまた歩行する時に比較的大きい摩擦抵抗を獲得し、滑り止め効果を達成させる方法がある。
しかし、実際着用した後、釣り靴の一枚式の靴底は平面接着式の接着方法を採用するので、接着剤が劣化してその靴底が剥がれ落ちる問題が生じやすい。
【０００３】
このような釣り靴の滑り止めの靴底の欠点をなくすため、考案者は釣り靴について滑り止めの靴底の構造を考案した。その構造は、靴本体の底部を一体成形した多方向的な三角形のフック型の凸体またはその他規則的または不規則な配列の凸塊、不織布の靴底に合わせてそれに対応して形成された長穴（Ｓｌｏｔ  ｈｏｌｅ）により、嵌合式の方法で靴本体を嵌め込み、靴本体の底部に接着し、その凸体と靴底の長穴の配合により、水平的な接着関係以外に、さらに縦方向の接着性をも加えるものである。このような構造にすることで立体的な接着関係が形成され、靴底が剥がれ落ちる可能性を減らすことができ、同時にその凸塊により、踏みつける時に高いグリップ力と滑り止め効果を有する。
【０００４】
このような釣り靴を着用する時の踏みつけによるグリップ力を増加させるため、さらに靴底の足裏側から釘本体が打ち付けられており、釘本体の下端部を靴底の底面からやや突出させるようにした。それにより渓谷石または消波ブロックを踏みつけながら歩行する時に、前述の凸体または凸塊を利用して摩擦抵抗を増加させること以外に、釘本体の端部により摩擦のグリップ効果を得られ、全体の滑り止め効果が理想的になる。
【考案の概要】
【考案が解決しようとする課題】
【０００５】
釘本体は靴底を貫通し端部を突出させつつ、釘本体が足裏側に突き出ることを避け、かつ釘本体と靴底の結合状態を維持するために、釘本体にはΠ型釘または類似する構造を使用した。それにより釘本体は靴底を貫通するように設けられ、また靴底を靴本体の底部に嵌めこみ、釘本体は靴本体と靴底との間に挟み込まれることができ、釘本体が突き出るおそれがないようにされた。ただし釣り靴は多くの場合ゴムなどの材質で形成され、また靴底も一定の圧縮変形率を有する。従って釣り靴を着用し地面を踏みつける時に、釘本体が陥没することで踏み面と接触できないことをもたらしかねず、グリップ効果をなくしてしまい、滑り止めの機能に影響することがあった。
【０００６】
本考案は上記課題に鑑み創作されたものであり、その目的はグリップ力と安定性を向上させる釣り靴を提供することにある。
【課題を解決するための手段】
【０００７】
本考案による釣り靴は、
底部の前基部及び後基部に一体成形され一箇所から二つの異なる方向へと延在する開放状の三角形のフック型の凸体が設けられた釣り靴本体と、凸体に対向する箇所に凸体よりも大きい長穴が設けられ、凸体と長穴との間に間隙を有するように接着し嵌め込まれる靴底と、ネイルヘッド、ねじ山部、及び翼型端部として形成された尾端部を有する滑り止め釘と、を備える。
釣り靴本体と靴底とが嵌め込まれる前に、滑り止め釘本体の翼型端部は靴底の地面側より突出し、ねじ山部は靴底の足裏側と螺合する。
【０００８】
本考案の釣り靴は、釣り靴靴本体の底部の多方向的な三角形のフック型の凸体の設計や、それにあわせる靴底の嵌め込みセットにより、踏みつける時に踏み面と多くの箇所で力を受け、摩擦抵抗を形成することができる。さらに踏み面の凸凹の変化に適応することができ、高いグリップ力と安定性が付与される。滑り止め釘により摩擦力が確保される。グリップ力と滑り止め効果の向上だけでなく、頭部のねじ山と靴底の材質が密接に噛みあうことにより、踏みつける時に滑り止め釘本体が陥没することを避けることができる。このように、摩擦抵抗を確保することができ、靴底は滑り止め効果を達成させる。
【図面の簡単な説明】
【０００９】
【図１】図１は本考案の好ましい実施例の分解斜視図である。
【図２】図２は本考案の好ましい実施例の靴底と滑り止め釘本体の分解斜視図である。
【図２Ａ】図２Ａは本考案の好ましい実施例の滑り止め釘の模式図である。
【図３】図３は本考案の好ましい実施例の側面図である。
【図４】図４は本考案の好ましい実施例の歩行状態における側面図である。
【考案を実施するための形態】
【００１０】
本考案の実施例について、図面を参照しながら具体的に説明する。
【００１１】
図１〜図４を参照する。本考案の釣り靴は、釣り靴本体１０の底部に別途作られた靴底２０を結合することで構成される。靴底２０は不織布など摩擦抵抗が比較的大きい材質で形成される。また靴底２０は釣り靴本体１０の底部形態に合わせて形成され、釣り靴本体１０の底部における前基部及び後基部の箇所には一体成形された複数の多方向的な三角形のフック型の凸体１１が設けられる。三角形のフック型の凸体１１は、敷設箇所により大きさが異なり、同じまたは同じでない方向の規則的または不規則な配列の組立てが行われる。三角形のフック型の凸体１１は、リボン状で一箇所から二箇所の異なる方向へと直線的または弧線的に延在し開放状のフック型の様態を呈する。
【００１２】
靴底２０は、三角形のフック型の凸体１１に対応する箇所に、形態的に対応する長穴２１が設けられる。長穴２１のサイズは、対応する三角形のフック型の凸体１１のそれよりやや大きい。そのため靴底２０を、釣り靴本体１０の底部に嵌め込むように接着可能である。長穴２１と凸体１１の間に適切な隙間空間を持つことができ、さらに接着剤自身が持つ展延性と弾力性により、靴底２０に適切な変形率と展延性を持たせることができる。また靴底２０における前基部と後基部との境界部位に近い箇所には、横方向のスリット２２が設けられる。スリット２２により、靴底は釣り靴本体１０の歩行または踏みつける動作との間における曲線が変化するにつれて、比較的大きい活動を許容する空間と変形率を持つことができる。
【００１３】
また靴底２０と釣り靴本体１０の底部とが嵌めこまれるように結合される前に、靴底２０の複数の予定部位に複数の滑り止め釘本体３０が螺設される。滑り止め釘本体３０には、比較的大きいサイズのネイルヘッド３１が設けられており、ネイルヘッド３１に近い頭部はねじ山部３２として形成され、釘本体の尾端部は少なくとも１つの切削刃３３を有する非円形の翼型端部３４として形成される。また滑り止め釘本体３０を靴底２０に組立てた時に、翼型端部３４は靴底２０の地面側の底面にやや突出する形を呈し、頭部のねじ山部３２は靴底２０の足裏側の材質と螺合し密結合する。これより滑り止め釘本体３０は、力により陥没したり、滑ったりすることがない。
【００１４】
本実施例による釣り靴は、釣り靴本体１０の底部の三角形のフック型の凸体１１を利用して靴底２０における、対応する形の長穴２１に合わせて、嵌め込み式の接着関係が取れて、靴底２０が強固に結合され脱落しにくい効果を達成する。
釣り靴本体１０の底部の三角形のフック型の凸体１１のリボン状と開放形態の設計により、凸体１１の延在する接触範囲が大きくとれるので、水中石または消波ブロックを踏みつける時に、凸体１１は踏み面と少なくとも三箇所の接触が確保される。合わせて滑り止め釘本体３０の翼型端部３４の形態のため、踏み面に比較的大きい接触面積と摩擦抵抗が確保される。これによりグリップ力は顕著に向上し、各種の地形において安定に踏みつけまた歩行するときの滑り止め効果に適用することができる。
【００１５】
滑り止め釘本体３０と靴底２０との密結合は滑り止め釘本体３０が力を受けて陥没することを効果的に防止することができる。
後基部に近い横方向のスリット２２が形成され、それにより靴底２０は比較的高い変形率と展延性を持つことができる。釣り靴を着用して、各種の地形または凸凹の踏み面を歩きまたは踏みつける時に、釣り靴本体１０の底部の曲線が変化するにつれて、靴底２０は随時変形または延展に応じることができるようになり、全体の動作がさらに柔軟性と快適性に富むようになる。そのため靴底の全面に接着していることによりぎこちないことがなく、また靴底に対して引張応力が生じない。そのため実用性を大きく向上させることができる。
【００１６】
本考案は釣り靴に関する。釣り靴本体の底部の開放式の三角形のフック型の凸体と、やや大きく同じ形の長穴の設計及び横方向のスリットを有する靴底とが結合し、非常に強い接着性を維持できる。さらに滑り止め釘本体と靴底とが密結合し、高いグリップ力及び滑り止め効果を得ることができる。これにより靴底として各種の地形を踏みつける時の安定性と安全性を向上させ、従来の欠点を解決することができる。
【００１７】
本考案は釣り靴本体の滑り止めの性能を向上させ、釣り靴本体の剥落を避けることを達成した。さらに三角形のフック型の凸体の形態設計と滑り止め釘本体により、靴底に高いグリップ力と滑り止め効果を持たせることにより、その着用の実用性と安全性を向上させることができた。ゆえに、極めて大きい産業上の利用性と実用価値を有するので、法律による保護を求めて実用新案登録出願する。
【符号の説明】
【００１８】
１０：釣り靴本体
１１：凸体
２０：靴底
２１：長穴
２２：スリット
３０：滑り止め釘本体
３１：ネイルヘッド
３２：ねじ山部
３３：切削刃
３４：翼型端部
【図１】
0003210758.tif 000003
【図２】
0003210758.tif 000004
【図２Ａ】
0003210758.tif 000005
【図３】
0003210758.tif 000006
【図４】
0003210758.tif 000007